(57)【要約】【課題】生体表面と外環境との間に生じる熱流を精度良く検出すること。【解決手段】熱流センサー３０ａは、ユーザーの皮膚面に接する第１の保護層３２と、外環境に面する第２の保護層３３と、第１の保護層３２と第２の保護層３３との間に配置され、皮膚面と外環境との間に生じる熱流を検出する検出器４０ａとを備える。この熱流センサー３０ａにおいて、第２の保護層３３は、その放射率が人の皮膚の放射率と同程度条件を満たす素材で形成される。【選択図】図３
2016133484.tif 000002
【特許請求の範囲】
【請求項１】
生体表面に接する第１層と、
外環境に面する第２層と、
前記第１層と前記第２層との間に配置され、前記生体表面と前記外環境との間に生じる熱流を検出する検出器と、
を備え、
前記第２層の放射率が、前記生体表面の放射率と同程度条件を満たす、
熱流センサー。
【請求項２】
前記第２層の放射率が０．７８以上１．０以下である、
請求項１に記載の熱流センサー。
【請求項３】
前記第２層は、皮革及び合成皮革の何れかで形成された、
請求項２に記載の熱流センサー。
【請求項４】
バンドを巻き付けることでユーザーの所定部位の皮膚面に接触するように装着される電子機器であって、
前記皮膚面に接する第１層と、外環境に面する第２層と、前記第１層と前記第２層との間に配置され、前記皮膚面と前記外環境との間に生じる熱流を検出する検出器と、を備え、前記第２層の放射率が前記皮膚面の放射率と同程度条件を満たす熱流センサーを、装着時において前記皮膚面に接する前記バンドの裏面に前記第１層が露出し、前記外環境に面する前記バンドの表面に前記第２層が露出するように前記バンドに埋設して具備した、
電子機器。
【発明の詳細な説明】
【技術分野】
【０００１】
本発明は、熱流を測定する熱流センサー等に関する。
【背景技術】
【０００２】
人体の体温は、人体から放出される熱により維持されている。この体温を維持するための代謝を基礎代謝という。すなわち、人体からの放熱を測定すれば、代謝量を知ることができる。また、人体からの放熱は自律神経により制御されているところ、全身の各部位から一様に熱が放出されるわけではなく、例えば、体幹部位と抹消部位とでは放出される熱が異なる。このため、各部位からの放熱を測定すれば、自律神経の機能を知ることができる。
【０００３】
人体からの放熱の経路には、空気や水等の対流によって外環境に伝達する対流熱伝達と、電磁波の放射によって周囲の物体表面に伝達する放射熱伝達とがある。この対流熱伝達や放射熱伝達といった熱伝達による熱流を検出すれば、人体からの放熱を測定することができる。例えば、特許文献１には、人体表面（皮膚面）にサーミスター等の熱流センサーを設置し、上記熱伝達によって熱流センサー内に生じた温度差から熱流を検出する方法が開示されている。
【先行技術文献】
【特許文献】
【０００４】
【特許文献１】特開２０１１−１２０９１７号公報
【発明の概要】
【発明が解決しようとする課題】
【０００５】
ところで、ある物体から放出される熱は、その物体表面の放射率に依存する。このため、皮膚面と外環境との間に熱流センサーを介在させて人体からの放熱を測定する場合、特許文献１のように単にサーミスター等を皮膚面に設置する構成では、人体から放出された熱と熱流センサーを介して放出された熱とに誤差が生じて正確な測定が困難な場合があった。
【０００６】
本発明は、こうした事情に鑑みてなされたものであり、生体表面と外環境との間に生じる熱流を精度良く検出することを目的とする。
【課題を解決するための手段】
【０００７】
上記課題を解決するための第１の発明は、生体表面に接する第１層と、外環境に面する第２層と、前記第１層と前記第２層との間に配置され、前記生体表面と前記外環境との間に生じる熱流を検出する検出器と、を備え、前記第２層の放射率が、前記生体表面の放射率と同程度条件を満たす、熱流センサーである。
【０００８】
第１の発明によれば、熱流センサーの外環境に面する側の放射率を、生体表面の放射率と同程度とすることができるので、生体表面と外環境との間に生じる熱流を精度良く検出することができる。
【０００９】
第２の発明は、前記第２層の放射率が０．７８以上１．０以下である、第１の発明の熱流センサーである。
【００１０】
第２の発明によれば、第２層の放射率の範囲を０．７８以上１．０以下とすることができる。
【００１１】
第３の発明は、前記第２層は、皮革及び合成皮革の何れかで形成された、第２の発明の熱流センサーである。
【００１２】
第３の発明によれば、柔軟性を有する皮革や合成皮革で第２層を形成することができる。
【００１３】
第４の発明は、バンドを巻き付けることでユーザーの所定部位の皮膚面に接触するように装着される電子機器であって、前記皮膚面に接する第１層と、外環境に面する第２層と、前記第１層と前記第２層との間に配置され、前記皮膚面と前記外環境との間に生じる熱流を検出する検出器と、を備え、前記第２層の放射率が前記皮膚面の放射率と同程度条件を満たす熱流センサーを、装着時において前記皮膚面に接する前記バンドの裏面に前記第１層が露出し、前記外環境に面する前記バンドの表面に前記第２層が露出するように前記バンドに埋設して具備した、電子機器である。
【００１４】
この第４の発明によれば、第１の発明と同様の作用効果を奏する電子機器を実現することができる。
【図面の簡単な説明】
【００１５】
【図１】電子機器の全体構成例を示す外観図。
【図２】電子機器の主要な機能構成例を示すブロック図。
【図３】実施例１における熱流センサーの斜視図。
【図４】実施例１における熱流センサーの断面図。
【図５】実施例２における熱流センサーの斜視図。
【図６】実施例２における熱流センサーの断面図。
【発明を実施するための形態】
【００１６】
以下、本発明の熱流センサー等を実施するための一形態として、ユーザーに装着されて人体の熱流を測定する電子機器について説明する。なお、以下説明する実施形態によって本発明が限定されるものではなく、本発明を適用可能な形態が以下の実施形態に限定されるものでもない。また、図面の記載において、同一部分には同一の符号を付す。
【００１７】
図１は、本実施形態における電子機器１の全体構成例を示す外観図であり、（ａ）は電子機器１の表面側を示し、（ｂ）は裏面側を示している。本実施形態の電子機器１は、本体ケース１０に設けられた２本のバンド２０，２０をバックル２１で留める腕時計型のウェアラブル機器として構成され、使用時には、２本のバンド２０，２０をユーザーの腕に巻き付けることで皮膚面に装着・固定される。なお、腕の皮膚面に装着する構成に限らず、胸部や腹部等の別の部位の皮膚面に装着する構成としてもよい。その場合、バンド２０を長尺とし、バンド２０の一部を伸縮素材としたり、バックル２１の代わりに面ファスナー等を用いたりすると好適である。
【００１８】
この電子機器１は、本体ケース１０の表面（ユーザーに装着した時に外向きになる面）に、操作入力手段として、操作スイッチ１１と、画像表示手段を兼ねるタッチパネル１３とを備える。ユーザーは、これらを用いて測定開始操作等の各種操作入力をすることができる。また、本体ケース１０の内部には、充電式のバッテリー１５と、制御基板１７とが内蔵される。なお、図示しないが、その他にも、本体ケース１０の適所において、熱流の測定結果を外部装置に送信等するための通信装置や、熱流の測定結果をメモリーカードに読み書き等するためのリーダーライター装置等が適宜設けられる。
【００１９】
バッテリー１５への充電方式は適宜設定できる。例えば、本体ケース１０の背面側に電気接点を別途設け、家庭用電源に接続されたクレードルにセットし、電気接点を介してクレードル経由で通電・充電される構成でもよいし、非接触式の無線式充電でもよい。
【００２０】
制御基板１７には、ＣＰＵ（Central Processing Unit）１７１と、ＩＣ（Integrated Circuit）メモリーやハードディスク等の記憶媒体１７３とが搭載されている。その他にも、ＡＳＩＣ（Application Specific Integrated Circuit）や、各種集積回路等の必要な電子部品を適宜搭載することができる。電子機器１は、ＣＰＵ１７１が記憶媒体１７３に格納されているプログラムを実行することによって、熱流測定等の各種機能を実現する。
【００２１】
一方、使用時にユーザーの腕に巻き付けられる２本のバンド２０，２０の各々には、熱流センサー３０，３０が埋設される。各熱流センサー３０，３０は、生体表面（本実施形態では、ユーザーの腕の皮膚面）と外環境との間に生じる熱流を検出する検出器４０を備えており、この検出器４０の検出結果から人体の熱流が測定される。本実施形態では、バンド２０，２０の長手方向の一部に熱流センサー３０，３０が埋設される構造としているが、バンド２０，２０の長手方向全体に熱流センサー３０，３０が埋設される構造としてもよい。ユーザーの腕の周面により大きな接触面積で接触することで、熱流測定の正確性を向上させることができる。
【００２２】
図２は、電子機器１の主要な機能構成例を示すブロック図である。図２に示すように、電子機器１は、２つの熱流センサー３０，３０と、操作部５１と、表示部５３と、処理部５５と、記憶部５７とを備える。
【００２３】
操作部５１は、ボタンスイッチ、レバースイッチ、ダイヤルスイッチ等の各種スイッチやタッチパネル等の入力装置によって実現されるものであり、操作入力に応じた操作信号を処理部５５に出力する。例えば、図１の操作スイッチ１１やタッチパネル１３がこれに該当する。
【００２４】
表示部５３は、ＬＣＤ（Liquid Crystal Display）やＥＬディスプレイ（Electroluminescence display）等の表示装置によって実現されるものであり、処理部５５から入力される表示信号をもとに各種画面を表示する。図１では、タッチパネル１３がこれに該当する。この表示部５３には、熱流の測定結果等が表示される。例えば、熱流の測定結果は、操作部５１に対する表示モードの切替操作に応じて、現在の熱流表示画面や、過去のロギングデータに基づき熱流変化をグラフ化した熱流変化表示画面等として表示されるようになっている。
【００２５】
処理部５５は、電子機器１の各部を統括的に制御する制御装置及び演算装置であり、ＣＰＵ（Central Processing Unit）やＧＰＵ（Graphic Processing Unit）等のマイクロプロセッサーや、ＡＳＩＣ（Application Specific Integrated Circuit）、ＦＰＧＡ（Field-Programmable Gate Array）、ＩＣ（Integrated Circuit）メモリー等で実現される。図１では、制御基板１７に実装されたＣＰＵ１７１がこれに該当する。処理部５５は、熱流センサー３０，３０の検出結果を用いて人体の熱流を測定する熱流測定部５５１を含む。
【００２６】
記憶部５７は、ＲＯＭ（Read Only Memory）やフラッシュＲＯＭ、ＲＡＭ（Random Access Memory）等の各種ＩＣメモリーやハードディスク等の記憶媒体により実現されるものである。図１では、制御基板１７の記憶媒体１７３がこれに該当する。記憶部５７には、電子機器１を動作させ、電子機器１が備える種々の機能を実現するためのプログラムや、このプログラムの実行中に使用されるデータ等が事前に格納され、あるいは処理の都度一時的に格納される。また、記憶部５７には、処理部５５を熱流測定部５５１として機能させ、熱流測定処理を実行するための熱流測定プログラム５７１が格納されている。
【００２７】
ここで、電子機器１が行う熱流の測定原理について説明する。一般に、大気中に存在する物体は、周囲の物質や他の物体と熱交換をしている。このとき、ある物体が放出し、あるいはその物体に流入する単位時間当たりの熱量を熱流といい、［Ｗ（＝Ｊ／ｓ）］や［ｋｃａｌ／ｍｉｎ］等の単位を用いて表される。
【００２８】
物体の熱流測定は、例えば、対象の物体の複数箇所に熱流センサーを設置し、熱流センサーに生じた温度差（温度勾配）を検出することで行われる。これは、物体を伝導する熱流が、物体内に存在する温度差に比例するというフーリエの法則に基づく（次式（１））。次式（１）において、Ｑは熱流［Ｗ（Ｊ／ｓ）］を表し、Ａは物体の面積［ｍ２］を表し、λは熱伝導率［Ｗ／ｍ・Ｋ］を表し、ｄは物体の厚さ［ｍ］を表し、ｇｒａｄＴは物体の温度差［Ｋ］を表す。
【数１】
2016133484.tif 000003
【００２９】
したがって、人体を対象とする場合は、皮膚面に熱流センサーを設置し、皮膚面と外環境との間の熱伝達によって熱流センサー内に生じた温度差、例えば、前述の熱伝達に起因して熱流センサーの表面（熱流センサーの外環境に面する側）から熱が奪われることで熱流センサー内に生じた温度差を検出することによって、その熱流を測定することができる。本実施形態では、上記したように、熱流センサー３０が埋設されたバンド２０をユーザーの腕に巻き付けて電子機器１を装着することで、熱流センサー３０が皮膚面に設置される。
【００３０】
ここで、一般に人の体温は３７℃程度に保たれ、人の生活環境は通常これより低い温度であるため、人体の熱流は、人体から放出される放熱が主である。この放熱の経路には、上記した対流熱伝達と放射熱伝達とがある。放射熱伝達により人体から放出する放射熱流Ｐ［Ｗ］は、次式（２）により、放射率εを用いて求めることができる。
【数２】
2016133484.tif 000004
【００３１】
上記式（２）において、Ａは人体の表面積［ｍ２］を表し、Ｔｓは人体の表面温度［Ｋ］を表し、Ｔｅは人体に接する外環境の温度［Ｋ］を表す。また、σは、シュテファン・ボルツマン定数であり、σ＝５．６７×１０−８［Ｗ／ｍ２・Ｋ4］である。
【００３２】
また、上記式（２）で用いる放射率εは、黒体の熱放射能に対する対象の物体の熱放射能の比（無次元量）をいい、人体の熱流を測定する場合、人の皮膚の放射率εとなる。黒体は、表面に到達する熱放射線を完全に吸収する性質の物体をいい、黒体の熱放射能Ｅ［Ｗ／ｍ２］は、シュテファン・ボルツマンの法則により、絶対温度の４乗に比例する（次式（３））。次式（３）において、Ｔは黒体の温度［Ｋ］を表す。
【数３】
2016133484.tif 000005
【００３３】
よって、対象の物体の放射率εは、黒体の熱放射能Ｅを用いて次式（４）により求めることができる。次式（４）において、Ｒは対象の物体の熱放射能［Ｗ］を表す。
【数４】
2016133484.tif 000006
【００３４】
ところで、上記式（２）からもわかるように、ある物体から放出される熱は、その物体表面の放射率εに依存する。このため、本実施の形態のように皮膚面に熱流センサー３０を設置して人体の熱流を測定する場合、熱流センサー３０の表面の放射率εが皮膚の放射率εと異なると、熱流センサー３０を介して放出される熱が人体から放出された熱と一致せず、熱流測定の精度低下を招く。逆にいえば、熱流センサー３０の表面の放射率εを皮膚の放射率εと同程度とすれば、人体の熱流を高い精度で測定できる。以下、そのための熱流センサー３０の具体的な構成について、２つの実施例１，２を順に説明する。
【００３５】
（実施例１）
図３は、実施例１における熱流センサー３０ａの構成例を模式的に示す斜視図である。また、図４は、熱流センサー３０ａの断面図であり、検出器４０ａを含む切断面を模式的に示している。
【００３６】
図３及び図４に示すように、熱流センサー３０ａは、伝熱層３１と、皮膚面側に向けられる伝熱層３１の図３及び図４中下側の面を覆う第１の保護層（第１層）３２と、熱流センサー３０ａの表面側となる伝熱層３１の図３及び図４中上側の面を覆う第２の保護層（第２層）３３とが、互いに熱拡散層３５を介して接着剤層３４で接着された層構造を有し、伝熱層３１の内部に検出器４０ａが組み込まれて構成される。この熱流センサー３０ａは、例えば、図１に示したように、ユーザーの腕に巻き付けられるバンド２０，２０に埋設されて電子機器１に具備されるが、その際、バンド２０の裏面（ユーザーに装着した時に皮膚に接する面）に第１の保護層３２が露出し、バンド２０の表面（ユーザーに装着した時に外向きになる面）に第２の保護層３３が露出するように埋設される。これにより、電子機器１の使用時に第１の保護層３２は皮膚面に接し、第２の保護層３３は外環境にさらされる。
【００３７】
表１に、第２の保護層３３、伝熱層３１、接着剤層３４、及び熱拡散層３５の各々の厚みｄ［ｍｍ］と、熱伝導率λ［Ｗ／ｍ・Ｋ］と、放射率εと、素材とを一覧で示す。表１では、第１の保護層３２についての記載を省略しておりその厚みｄ等の各値や素材は特に限定されないが、例えば、第１の保護層３２と同様の素材を用いて形成することができる。なお、各層３１，３２，３３，３４，３５は、前提として、熱流センサー３０ａが皮膚面に密着し易いように何れも柔軟性の高い素材で形成される。
【表１】
2016133484.tif 000007
【００３８】
表１に示すように、第２の保護層３３は、厚みｄが０．１［ｍｍ］以上とされ、ある程度の厚みをもたせることで接着剤層３４による接着を剥がれ難くしている。この第２層は外環境に面することから、薄い塗膜等とすると、他の物体との接触によって簡単に剥離するおそれがあり、問題となるためである。ただし、厚くし過ぎると熱抵抗による測定誤差が増大するため、１［ｍｍ］以下とするのがよい。
【００３９】
また、第２の保護層３３は、生体表面の放射率と同程度条件を満たす放射率を有しており、具体的には放射率εが０．９５以上である。上記したように、人体の熱流を高い精度で測定するためには、熱流センサー３０ａの表面の放射率εを皮膚の放射率εと同程度にあわせる必要がある。第２の保護層３３の放射率εを０．９５以上に規定しているのは、皮膚の放射率εが０．９８であることによる。ただし、第２の保護層３３の放射率εを規定する同程度条件は、必ずしも表１に示す０．９５以上に限定されるものではなく、許容される測定誤差に応じて適宜規定してよい。その場合も、第２の保護層３３の放射率εは、０．７８以上１．０以下の範囲で規定するのがよい。この範囲内の同程度条件とすれば、放射率εの違いによる測定誤差を概ね２０％以内に収めることができる。
【００４０】
以上の各項目の規定に即しており、なおかつ柔軟性のある第２の保護層３３を形成するのに好適な素材としては、例えば、皮革と、ポリウレタンやＰＶＣ（polyvinyl chloride）等の合成皮革とが挙げられる。第２の保護層３３は、これらの何れかを採用して形成することができる。
【００４１】
伝熱層３１は、厚みｄが０．１［ｍｍ］以上に規定される他、熱伝導率λが１０［Ｗ／ｍ・Ｋ］以上に規定される。これによれば、熱流測定の応答性を良くすることができる。この伝熱層３１は、例えば、炭素繊維や金属粒子等の熱伝導性フィラーを分散させた熱伝導性ゴムを用いて形成する。
【００４２】
接着剤層３４は、厚みｄが０．１［ｍｍ］以下に規定され、熱伝導率λが１［Ｗ／ｍ・Ｋ］以上に規定される。そのために、熱伝導性フィラーを分散させた接着剤を用い、熱拡散層３５を介して伝熱層３１に第１の保護層３２及び第２の保護層３３を接着する。
【００４３】
熱拡散層３５は、厚みｄが０．１［ｍｍ］以上に規定され、熱伝導率λが１００［Ｗ／ｍ・Ｋ］以上に規定される。第１の保護層３２と伝熱層３１との間や伝熱層３１と第２の保護層３３との間に熱拡散層３５を形成することによれば、熱分布を均一化することができ、より正確な熱流測定が実現できる。この熱拡散層３５は、例えば、アルミニウムや銅等の金属薄膜や、グラファイトシート等で形成する。
【００４４】
以上の層構造を有する熱流センサー３０ａの各層３１，３２，３３，３４，３５は、柔軟性を損なわずに接着剤層３４による接着を補強して各層３１〜３５を剥がれ難くする目的で、縫合糸３９により適宜縫合される。例えば、伝熱層３１に組み込まれる検出器４０ａを避け、熱流センサー３０ａの外縁部分を縫合することによって、各層３１〜３５を接合する。縫合糸３９には、例えば、ポリエステルやナイロン等の合成繊維、あるいは綿や麻等の天然繊維を用いることができる。なお、縫合糸３９の縫合によって各層の確実な密着及び接着が担保される場合には、接着剤層３４を省略することとしてもよい。
【００４５】
検出器４０ａは、異なる２種類の金属導体４１１，４１３の両端を接合した熱電対（サーモカップル）４１０を、その冷接点と温接点とがそれぞれ皮膚面側の第１の保護層３２と外環境側の第２の保護層３３とに接するようにして複数個直列に接続して構成され、いわゆるサーモパイルを構成する。金属導体４１１，４１３には、例えば、アルメルとクロメル、銅とコンスタンタン等を用いることができる。この検出器４０ａは、冷接点と温接点との間の温度差を電圧として出力するものであり、電圧計４３０で検出した電圧値を検出結果として処理部５５に出力する。そして、処理部５５では、熱流測定部５５１が、検出器４０ａからの検出結果を用い、上記式（２）に従って放射熱流Ｐを求めることで、人体の熱流を測定する処理を行う（熱流測定処理）。
【００４６】
以上説明したように、実施例１によれば、熱流センサー３０ａの表面（外環境と接する側）の放射率を皮膚の放射率と同程度とすることができる。したがって、皮膚面と外環境との間に生じる熱流を精度良く検出することができるので、人体の熱流を高精度に測定できる。
【００４７】
（実施例２）
図５は、実施例２における熱流センサー３０ｂの構成例を模式的に示す斜視図である。また、図６は、熱流センサー３０ｂの断面図であり、検出器４０ｂを含む切断面を模式的に示している。なお、図５及び図６中、実施例１と同様の構成には、同一の符号を付している。実施例２では、伝熱層３１に組み込まれる検出器４０ｂの構成が実施例１と異なる。
【００４８】
図５及び図６に示すように、実施例２の検出器４０ｂは、伝熱層３１の皮膚面側で第１の保護層３２に接するように配置された温度素子４５１と、伝熱層３１の外環境側において温度素子４５１と対向する位置に、第２の保護層３３に接するように配置された温度素子４５３と、温度素子４５１の出力温度と温度素子４５３の出力温度とを差動増幅する差動増幅器４７０とを備え、第１の保護層３２の温度と第２の保護層３３の温度との温度差を検出結果として処理部５５に出力する。温度素子４５１，４５３には、サーミスターや熱電対等を用いることができる。
【００４９】
そして、処理部５５では、熱流測定部５５１が、検出器４０ｂからの検出結果を用い、次式（５）に従って人体の熱流を測定する処理を行う。次式（５）において、Ｑは熱流［Ｗ（Ｊ／ｓ）］を表し、Ａは物体の面積［ｍ２］を表し、λは熱伝導率［Ｗ／ｍ・Ｋ］を表し、ｄは物体の厚さ［ｍ］を表す。また、Ｔａは温度素子４５１の出力温度［Ｋ］を表し、Ｔｂは温度素子４５３の出力温度［Ｋ］を表す。
【数５】
2016133484.tif 000008
【００５０】
この実施例２の熱流センサー３０ｂをバンド２０，２０に埋設して電子機器１に用いた場合も、実施例１と同様に、熱流センサー３０ｂの表面（外環境と接する側）の放射率を皮膚の放射率と同程度とすることができる。したがって、皮膚面と外環境との間に生じる熱流を精度良く検出することができ、人体の熱流を高精度に測定できる。
【００５１】
なお、上記した実施形態では、電子機器１として人体の熱流を測定する熱流計を例示したが、その他にも、熱量計や消費カロリー計、代謝計、代謝機能測定機器、自律神経機能測定機器等にも適用でき、例えば、筋肉の発熱量を測るスポーツ機器、登山者や高齢者、子供等を対象にした見守り機器、生体情報の測定結果を仮想空間の事象に反映する玩具等に用いることができる。
【符号の説明】
【００５２】
１  電子機器、１０  本体ケース、２０  バンド、３０（３０ａ，３０ｂ）  熱流センサー、３１  伝熱層、３２  第１の保護層、３３  第２の保護層、３４  接着剤層、３５  熱拡散層、３９  縫合糸、４０（４０ａ，４０ｂ）  検出器
【図１】
2016133484.tif 000009
【図２】
2016133484.tif 000010
【図３】
2016133484.tif 000011
【図４】
2016133484.tif 000012
【図５】
2016133484.tif 000013
【図６】
2016133484.tif 000014